(57)【要約】【課題】カメラ、アクセサリ装置およびカメラシステムの製造コストを低減する。【解決手段】アクセサリ装置２００がカメラボディ１００に取り付けられて、検出スイッチ１０４がオンされると、制御回路１１０が通信規格通知信号を出力する。そして、アクセサリ装置２００から通信可能信号を受信すると、カメラボディ１００側の通信規格によって汎用コネクタ１０２，２０２を介したアクセサリ装置２００との通信を開始するように構成した。したがって、汎用コネクタ１０２に予期せぬ機器が接続されても、検出スイッチ１０４がオンされず、汎用コネクタ１０２を介した通信が開始されないので、汎用コネクタ１０２に予期せぬ機器が接続される心配をしなくてもよい。これにより、アクセサリ装置２００などの相手側機器との通信に高価な専用コネクタを用いなくてもよく、安価な汎用コネクタ１０２，２０２を用いることができるので、大幅にコストを低減できる。【選択図】図４
2008256847.tif 000002
【特許請求の範囲】
【請求項１】
アクセサリ装置のカメラへの装着を検出する検出手段と、
前記アクセサリ装置に設けられたコネクタと接続可能なカメラ側コネクタと、
前記カメラ側コネクタを介して、装着された前記アクセサリ装置と通信を行うカメラ側通信手段と、
前記検出手段で前記アクセサリ装置の装着が検出されると、前記カメラの通信規格に関する情報を前記カメラ側通信手段により前記カメラ側コネクタを介して前記アクセサリ装置に向けて送信し、前記送信された情報に対する前記アクセサリ装置からの応答信号を受信し、前記応答信号に基づいて前記アクセサリ装置は前記通信規格による通信が可能であると判断した場合は、前記カメラ側コネクタを介する通信を前記カメラ側通信手段に開始させるカメラ側通信制御手段とを備え、
前記カメラ側コネクタは、前記通信規格とは関係なく汎用のコネクタが採用されていることを特徴とするカメラ。
【請求項２】
アクセサリ装置のカメラへの装着が前記カメラの検出手段に検出されるように設けられた被検出部材と、
前記カメラに設けられたコネクタと接続可能なアクセサリ側コネクタと、
前記アクセサリ側コネクタを介して、前記カメラと通信を行うアクセサリ側通信手段と、
前記カメラから送信された前記カメラの通信規格に関する情報を前記アクセサリ側通信手段で受信すると、前記アクセサリ側通信手段の通信規格を前記受信した通信規格に変更するアクセサリ側通信制御手段とを備え、
前記アクセサリ側コネクタは、前記通信規格とは関係なく汎用のコネクタが採用されていることを特徴とするカメラのアクセサリ装置。
【請求項３】
請求項２に記載のアクセサリ装置において、
前記アクセサリ装置は、前記カメラで撮像して得た画像データを無線通信により外部へ転送可能であることを特徴とするアクセサリ装置。
【請求項４】
請求項１に記載のカメラと、
請求項２または請求項3に記載のアクセサリ装置とを備え、
前記カメラに前記アクセサリ装置が装着されると、前記被検出部材が前記検出手段で検出されるとともに、前記カメラ側コネクタと前記アクセサリ側コネクタとが接続され、
前記アクセサリ側通信制御手段は、前記カメラから送信された前記カメラの通信規格に関する情報を前記アクセサリ側通信手段で受信すると、前記アクセサリ側通信手段の通信規格を前記受信した通信規格に変更するとともに、前記受信した通信規格で通信可能であることを示す応答信号を前記アクセサリ側コネクタを介して前記カメラに送信するよう前記アクセサリ側通信手段を制御することを特徴とするカメラシステム。
【請求項５】
請求項４に記載のカメラシステムにおいて、
前記被検出部材は、前記アクセサリ装置を前記カメラに取り付ける際の位置決めのためのピンであることを特徴とするカメラシステム。
【請求項６】
請求項４または請求項５に記載のカメラシステムにおいて、
前記アクセサリ装置を前記カメラに装着する際に、前記カメラ側コネクタと前記アクセサリ側コネクタとが接続されて、信号伝達が可能になった後に、前記検出手段が前記被検出部材を検出することを特徴とするカメラシステム。
【請求項７】
カメラに着脱可能なアクセサリ装置の第１のコネクタと接続可能なカメラ側の第１のコネクタと、
前記カメラに着脱可能な前記アクセサリ装置の第２のコネクタと接続可能なカメラ側の第２のコネクタと、
前記カメラ側の第１のコネクタおよび前記カメラ側の第２のコネクタを介して、装着された前記アクセサリ装置と通信を行うカメラ側通信手段と、
前記カメラ側の第１のコネクタに前記アクセサリ装置の前記第１のコネクタが接続されたことが検出されると、前記カメラの通信規格に関する情報を前記カメラ側通信手段により前記カメラ側の第１のコネクタを介して前記アクセサリ装置に向けて送信し、前記送信された情報に対する前記アクセサリ装置からの応答信号を前記カメラ側の第１のコネクタを介して受信し、前記応答信号に基づいて前記アクセサリ装置は前記通信規格による通信が可能であると判断した場合は、前記カメラ側の第２のコネクタを介する通信を前記カメラ側通信手段に開始させるカメラ側通信制御手段とを備え、
前記カメラ側の第２のコネクタは、前記通信規格とは関係なく汎用のコネクタが採用されていることを特徴とするカメラ。
【請求項８】
カメラに設けられた第１のコネクタと接続可能なアクセサリ側の第１のコネクタと、
前記カメラに設けられた第２のコネクタと接続可能なアクセサリ側の第２のコネクタと、
前記アクセサリ側の第１のコネクタおよび前記アクセサリ側の第２のコネクタを介して、前記カメラと通信を行うアクセサリ側通信手段と、
前記カメラから送信された前記カメラの通信規格に関する情報を前記アクセサリ側の第１のコネクタを介して前記アクセサリ側通信手段で受信すると、前記アクセサリ側通信手段の通信規格を前記受信した通信規格に変更するアクセサリ側通信制御手段とを備え、
前記アクセサリ側の第２のコネクタは、前記通信規格とは関係なく汎用のコネクタが採用されていることを特徴とするカメラのアクセサリ装置。
【請求項９】
請求項８に記載のアクセサリ装置において、
前記アクセサリ装置は、前記カメラで撮像して得た画像データを無線通信により外部へ転送可能であることを特徴とするアクセサリ装置。
【請求項１０】
請求項７に記載のカメラと、
請求項８または請求項９に記載のアクセサリ装置とを備え、
前記カメラに前記アクセサリ装置が装着されると、前記カメラ側の第１のコネクタと前記アクセサリ側の第１のコネクタとが接続されるとともに、前記カメラ側の第２のコネクタと前記アクセサリ側の第２のコネクタとが接続され、
前記アクセサリ側通信制御手段は、前記カメラから送信された前記カメラの通信規格に関する情報を前記アクセサリ側の第１のコネクタを介して前記アクセサリ側通信手段で受信すると、前記アクセサリ側通信手段の通信規格を前記受信した通信規格に変更するとともに、前記受信した通信規格で通信可能であることを示す応答信号を前記アクセサリ側の第１のコネクタを介して前記カメラに送信するよう前記アクセサリ側通信手段を制御することを特徴とするカメラシステム。
【発明の詳細な説明】
【技術分野】
【０００１】
本発明は、カメラ、カメラに取り付けられるアクセサリ装置、および、カメラとアクセサリ装置とを含むカメラシステムに関する。
【背景技術】
【０００２】
カメラには、各種のアクセサリ装置が接続できる。コネクタを介して互いに接続されたカメラとアクセサリ装置との間で高速通信を行うなど、接続されたカメラとアクセサリ装置との間で情報伝達を行うカメラおよびアクセサリ装置が知られている（特許文献１参照）。
【０００３】
【特許文献１】特開２００３−２４４５０２号公報
【発明の開示】
【発明が解決しようとする課題】
【０００４】
カメラとアクセサリ装置とを接続するコネクタには専用品が用いられるが、専用品ではコストが高い。しかし、カメラとアクセサリ装置とを接続するコネクタに汎用のコネクタを使用すると、予期せぬ機器が接続される恐れがある。
【課題を解決するための手段】
【０００５】
（１）  請求項１の発明によるカメラは、アクセサリ装置のカメラへの装着を検出する検出手段と、アクセサリ装置に設けられたコネクタと接続可能なカメラ側コネクタと、カメラ側コネクタを介して、装着されたアクセサリ装置と通信を行うカメラ側通信手段と、検出手段でアクセサリ装置の装着が検出されると、カメラの通信規格に関する情報をカメラ側通信手段によりカメラ側コネクタを介してアクセサリ装置に向けて送信し、送信された情報に対するアクセサリ装置からの応答信号を受信し、応答信号に基づいてアクセサリ装置は前記通信規格による通信が可能であると判断した場合は、カメラ側コネクタを介する通信をカメラ側通信手段に開始させるカメラ側通信制御手段とを備え、カメラ側コネクタは、通信規格とは関係なく汎用のコネクタが採用されていることを特徴とする。
（２）  請求項２の発明によるカメラのアクセサリ装置は、アクセサリ装置のカメラへの装着がカメラの検出手段に検出されるように設けられた被検出部材と、カメラに設けられたコネクタと接続可能なアクセサリ側コネクタと、アクセサリ側コネクタを介して、カメラと通信を行うアクセサリ側通信手段と、カメラから送信されたカメラの通信規格に関する情報をアクセサリ側通信手段で受信すると、アクセサリ側通信手段の通信規格を受信した通信規格に変更するアクセサリ側通信制御手段とを備え、アクセサリ側コネクタは、通信規格とは関係なく汎用のコネクタが採用されていることを特徴とする。
（３）  請求項３の発明は、請求項２に記載のアクセサリ装置において、アクセサリ装置は、カメラで撮像して得た画像データを無線通信により外部へ転送可能であることを特徴とする。
（４）  請求項４の発明によるカメラシステムは、請求項１に記載のカメラと、請求項２または請求項3に記載のアクセサリ装置とを備え、カメラにアクセサリ装置が装着されると、被検出部材が検出手段で検出されるとともに、カメラ側コネクタとアクセサリ側コネクタとが接続され、アクセサリ側通信制御手段は、カメラから送信されたカメラの通信規格に関する情報をアクセサリ側通信手段で受信すると、アクセサリ側通信手段の通信規格を受信した通信規格に変更するとともに、受信した通信規格で通信可能であることを示す応答信号をアクセサリ側コネクタを介してカメラに送信するようアクセサリ側通信手段を制御することを特徴とする。
（５）  請求項５の発明は、請求項４に記載のカメラシステムにおいて、被検出部材は、アクセサリ装置をカメラに取り付ける際の位置決めのためのピンであることを特徴とする。
（６）  請求項６の発明は、請求項４または請求項５に記載のカメラシステムにおいて、アクセサリ装置をカメラに装着する際に、カメラ側コネクタとアクセサリ側コネクタとが接続されて、信号伝達が可能になった後に、検出手段が被検出部材を検出することを特徴とする。
（７）  請求項７の発明によるカメラは、カメラに着脱可能なアクセサリ装置の第１のコネクタと接続可能なカメラ側の第１のコネクタと、カメラに着脱可能なアクセサリ装置の第２のコネクタと接続可能なカメラ側の第２のコネクタと、カメラ側の第１のコネクタおよびカメラ側の第２のコネクタを介して、装着されたアクセサリ装置と通信を行うカメラ側通信手段と、カメラ側の第１のコネクタにアクセサリ装置の第１のコネクタが接続されたことが検出されると、カメラの通信規格に関する情報をカメラ側通信手段によりカメラ側の第１のコネクタを介してアクセサリ装置に向けて送信し、送信された情報に対するアクセサリ装置からの応答信号をカメラ側の第１のコネクタを介して受信し、応答信号に基づいてアクセサリ装置は前記通信規格による通信が可能であると判断した場合は、カメラ側の第２のコネクタを介する通信をカメラ側通信手段に開始させるカメラ側通信制御手段とを備え、カメラ側の第２のコネクタは、通信規格とは関係なく汎用のコネクタが採用されていることを特徴とする。
（８）  請求項８の発明によるカメラのアクセサリ装置は、カメラに設けられた第１のコネクタと接続可能なアクセサリ側の第１のコネクタと、カメラに設けられた第２のコネクタと接続可能なアクセサリ側の第２のコネクタと、アクセサリ側の第１のコネクタおよびアクセサリ側の第２のコネクタを介して、カメラと通信を行うアクセサリ側通信手段と、カメラから送信されたカメラの通信規格に関する情報をアクセサリ側の第１のコネクタを介してアクセサリ側通信手段で受信すると、アクセサリ側通信手段の通信規格を受信した通信規格に変更するアクセサリ側通信制御手段とを備え、アクセサリ側の第２のコネクタは、通信規格とは関係なく汎用のコネクタが採用されていることを特徴とする。
（９）  請求項９の発明は、請求項８に記載のアクセサリ装置において、アクセサリ装置は、カメラで撮像して得た画像データを無線通信により外部へ転送可能であることを特徴とする。
（１０）  請求項１０の発明によるカメラシステムは、請求項７に記載のカメラと、請求項８または請求項９に記載のアクセサリ装置とを備え、カメラにアクセサリ装置が装着されると、カメラ側の第１のコネクタとアクセサリ側の第１のコネクタとが接続されるとともに、カメラ側の第２のコネクタとアクセサリ側の第２のコネクタとが接続され、アクセサリ側通信制御手段は、カメラから送信されたカメラの通信規格に関する情報をアクセサリ側の第１のコネクタを介してアクセサリ側通信手段で受信すると、アクセサリ側通信手段の通信規格を受信した通信規格に変更するとともに、受信した通信規格で通信可能であることを示す応答信号をアクセサリ側の第１のコネクタを介してカメラに送信するようアクセサリ側通信手段を制御することを特徴とする。
【発明の効果】
【０００６】
本発明によれば、安価な汎用コネクタを用いることができるので、カメラ、アクセサリ装置およびカメラシステムの製造コストを大幅に低減できる。
【発明を実施するための最良の形態】
【０００７】
−−−第１の実施の形態−−−
図１〜４を参照して、本発明によるカメラシステムの第１の実施の形態を説明する。図１は、本発明によるカメラシステムのカメラである、一眼レフタイプのカメラボディ１００の全体構成を示す図であり、図２は、カメラボディ１００に取り付けられるアクセサリ装置２００の全体構成を示す図である。図３は、カメラボディ１００に対してアクセサリ装置２００を取り付けた状態を示す図である。
【０００８】
図１に示すように、カメラボディ１００にはレリーズボタン１０１と、電源スイッチ１１１と、撮像素子であるＣＣＤ（不図示）と、カメラボディ１００の各部を制御するとともに、後述するようにアクセサリ装置２００との通信を制御する制御回路１１０とが設けられている。１３１は、撮影レンズ（不図示）からの被写体像をＣＣＤに導くための撮影光路であり、１３２は、メインミラーであり、１３３は、撮影レンズが装着されるレンズマウントである。カメラボディ１００には、電源として不図示の電池が装着されている。
【０００９】
カメラボディ１の底面には、汎用コネクタ１０２と、位置決め穴１０３と、検出スイッチ１０４と、三脚座１０５とが設けられている。汎用コネクタ１０２は、アクセサリ装置２００に設けられた後述する汎用コネクタ２０２と接続されるコネクタである。汎用コネクタ１０２は制御回路１１０と接続されており、後述するようにアクセサリ装置２００と通信を行うために用いられる。なお、汎用コネクタ１０２には、アクセサリ装置２００との通信における通信規格とは関係なく、一般的に広く用いられている任意のコネクタを用いることができる。
【００１０】
位置決め穴１０３は、アクセサリ装置２００がカメラボディ１００の底面に取り付けられる際にアクセサリ装置２００に設けられたピンが挿入される穴であり、カメラボディ１００に対するアクセサリ装置２００の位置を決定するための穴である。
【００１１】
検出スイッチ１０４は、アクセサリ装置２００がカメラボディ１００に取り付けられたことを検出するためのスイッチであり、アクセサリ装置２００がカメラボディ１００の底面に取り付けられると、アクセサリ装置２００のピン２０３によって接点が押圧されてオンされる。三脚座１０５は、三脚やアクセサリ装置２００などを取り付けるための座部分であり、雌ねじ部１０５ａを有する。
【００１２】
図２に示すように、アクセサリ装置２００の上面には、汎用コネクタ２０２と、ピン２０３と、三脚ネジ２０５とが設けられ、アクセサリ装置２００の前面にはダイヤル２０６が設けられている。アクセサリ装置２００には、アクセサリ装置２００の各部を制御するとともに、後述するようにカメラボディ１００との通信を制御する制御回路２１０が設けられている。
【００１３】
本実施の形態におけるアクセサリ装置２００は、カメラボディ１００で撮像して得た画像のデータを外部に無線で転送するなど、外部との情報の送受信を行うワイヤレストランスミッタである。アクセサリ装置２００には、カメラボディ１００から取得した画像データを外部へ無線で送信したり、外部から画像データを含む各種のデータを受信するための不図示の送受信装置が設けられている。また、アクセサリ装置２００は、カメラボディ１００による縦位置撮影の際のグリップ部としての機能を有し、縦位置撮影用の不図示のレリーズボタンなどが設けられている。アクセサリ装置２００には、電源としての電池が装着され、不図示の電源スイッチが設けられている。
【００１４】
汎用コネクタ２０２は、上述したようにカメラボディ１００の汎用コネクタ１０２と接続されるコネクタであり、汎用コネクタ１０２と同様に一般的に広く用いられているコネクタである。汎用コネクタ２０２は制御回路２１０と接続されており、カメラボディ１００と通信を行うために用いられる。
【００１５】
ピン２０３は、アクセサリ装置２００の上面に植設された軸状の部材である。上述したように、ピン２０３は、アクセサリ装置２００がカメラボディ１００の底面に取り付けられる際に、位置決め穴１０３に挿入されることで、カメラボディ１００に対するアクセサリ装置２００の位置を決定する。また、アクセサリ装置２００がカメラボディ１００の底面に取り付けられると、ピン２０３の先端が検出スイッチ１０４の接点を押圧する。
【００１６】
三脚ネジ２０５は、アクセサリ装置２００をカメラボディ１００に取り付けるための雄ねじであり、ダイヤル２０６は、三脚ネジ２０５を回動させるためのダイヤル式の操作部である。
【００１７】
なお、自明ではあるが、カメラボディ１００側の汎用コネクタ１０２、位置決め穴１０３、および三脚座１０５の配設位置と、アクセサリ装置２００側の汎用コネクタ２０２，ピン２０３、および三脚ネジ２０５の配設位置とは、アクセサリ装置２００がカメラボディ１００に適切な位置で取り付けられてそれぞれ接続、挿入、螺合されるように規定されている。
【００１８】
このように構成されるカメラシステムでは、図３に示すようにカメラボディ１００にアクセサリ装置２００を取り付けると、次のような段階を経てカメラボディ１００とアクセサリ装置２００との間で画像データなどの通信が可能となる。アクセサリ装置２００が取り付けられる前のカメラボディ１００では、検出スイッチ１０４からのオフ信号により、制御回路１１０が汎用コネクタ１０２による通信を禁止する。カメラボディ１００に取り付けられる前のアクセサリ装置２００では、制御回路２１０は、不図示の電源スイッチがオンされると、カメラボディ１００側の通信規格を知らせる信号を汎用コネクタ２０２を介してカメラボディ１００側から受信するまで待機する。
【００１９】
アクセサリ装置２００がカメラボディ１００に取り付けられると、カメラボディ１００側の汎用コネクタ１０２がアクセサリ装置２００側の汎用コネクタ２０２と接続され、ピン２０３が位置決め穴１０３に挿入される。ダイヤル２０６が回動されて三脚ネジ２０５が回動されると、三脚ネジ２０５はカメラボディ１００の雌ねじ部１０５ａと螺合して、アクセサリ装置２００をカメラボディ１００に対して固定する。なお、アクセサリ装置２００がカメラボディ１００に取り付けられる際、汎用コネクタ１０２，２０２間で通信が可能となる位置まで差し込まれた後に、ピン２０３が検出スイッチ１０４の接点を押圧して検出スイッチ１０４をオンするように、各部に位置・寸法が規定されている。
【００２０】
上述のように検出スイッチ１０４がオンされると、検出スイッチ１０４からのオン信号により、制御回路１１０が汎用コネクタ１０２による通信を許可する。そして制御回路１１０は、カメラボディ１００側の通信規格に関する情報として、汎用コネクタ１０２を介した通信を行う際の通信規格を通知する信号（通信規格通知信号）を、汎用コネクタ１０２を介してアクセサリ装置２００へ出力する。
【００２１】
アクセサリ装置２００では、汎用コネクタ２０２を介して通信規格通知信号を受信すると、制御回路２１０は、通信規格通知信号で通知された通信規格が対応可能な通信規格であるか否かを判断する。すなわち、アクセサリ装置２００は、複数の通信規格で通信可能に構成されている。対応可能な通信規格であると判断されると、制御回路２１０は、通知された通信規格で通信可能となるように、自らの通信規格を変更（設定）するとともに、通知された通信規格で通信可能である旨の応答信号（通信可能信号）を汎用コネクタ２０２を介してカメラボディ１００側へ出力する。これにより、アクセサリ装置２００は、カメラボディ１００側から通知された通信規格により、汎用コネクタ２０２を介してカメラボディ１００と通信が可能となる。なお、対応可能な通信規格ではないと判断されると、制御回路２１０は、汎用コネクタ２０２を介して通信規格の変更ができない旨を表す応答信号（通信不可信号）をカメラボディ１００側へ出力する。
【００２２】
カメラボディ１００では、汎用コネクタ１０２を介してアクセサリ装置２００側から通信可能信号を受信すると、制御回路１１０は、通信規格通知信号で通知した通信規格により、アクセサリ装置２００との通信を開始する。また、汎用コネクタ１０２を介してアクセサリ装置２００側から通信不可信号を受信すると、制御回路１１０は、汎用コネクタ１０２による通信を禁止する。
【００２３】
以上の動作により、本実施の形態のカメラシステムでは、カメラボディ１００にアクセサリ装置２００が取り付けられると、たとえば、カメラボディ１００で撮像して得た画像のデータを、汎用コネクタ１０２，２０２を介してアクセサリ装置２００に送信可能となる。アクセサリ装置２００は、カメラボディ１００から取得した画像データを不図示の送受信装置を介して外部へ無線で送信できる。また、たとえば、アクセサリ装置２００に設けられた縦位置撮影用の不図示のレリーズボタンの操作信号を汎用コネクタ１０２，２０２を介してカメラボディ１００側へ送信できる。
【００２４】
本実施の形態のカメラシステムでは、たとえば、アクセサリ装置２００を介して、パーソナルコンピュータ等の外部の機器とカメラボディ１００とを接続でき、外部の機器から撮像条件の設定や撮像の指示など、カメラボディ１００の各種の操作が可能となる。
【００２５】
−−−フローチャート−−−
図４は、アクセサリ装置２００をカメラボディ１００に取り付ける際に、各制御回路１１０，２１０で実行されるプログラムの動作を示すフローチャートを併記した図である。カメラボディ１００の電源スイッチ１１１がオンされると、以下に説明する処理を行うプログラムが起動されて、カメラボディ１００の制御回路１１０で実行される。ステップＳ１において、検出スイッチ１０４からのオン信号が入力されるまで待機する。ステップＳ１が肯定判断されるとステップＳ３へ進み、汎用コネクタ１０２による通信を許可してステップＳ５へ進む。
【００２６】
ステップＳ５において、通信規格通知信号を出力してステップＳ７へ進む。ステップＳ７において、アクセサリ装置２００側から通信可能信号を受信したか否かを判断する。ステップＳ７が肯定判断されるとステップＳ９へ進み、通信規格通知信号で通知した通信規格によるアクセサリ装置２００との通信を開始してリターンする。
【００２７】
ステップＳ７が否定判断されるとステップＳ１１へ進み、アクセサリ装置２００側から通信不可信号を受信したか否かを判断する。ステップＳ１１が肯定判断されるとステップＳ１３へ進み、汎用コネクタ１０２による通信を禁止してリターンする。ステップＳ１１が否定判断されるとステップＳ７へ戻る。
【００２８】
アクセサリ装置２００では、不図示の電源スイッチがオンされると、以下に説明する処理を行うプログラムが起動されて、制御回路２１０で実行される。ステップＳ２１において、カメラボディ１００側から通信規格通知信号を受信するまで待機する。ステップＳ２１が肯定判断されるとステップＳ２３へ進み、ステップＳ２１で受信した通信規格通知信号によって通知された通信規格が対応可能な通信規格であるか否かを判断する。
【００２９】
ステップＳ２３が肯定判断されるとステップＳ２５へ進み、ステップＳ２１で受信した通信規格通知信号によって通知された通信規格で通信可能となるように、自らの通信規格を変更してステップＳ２７へ進む。ステップＳ２７において、通信可能信号を出力してリターンする。ステップＳ２３が否定判断されるとステップＳ２９へ進み、通信不可信号を出力してリターンする。
【００３０】
上述した第１の実施の形態のカメラシステムでは、次の作用効果を奏する。
（１）  たとえば、汎用コネクタ１０２に対して形状の上で接続可能なコネクタが、高い電圧が印加された端子を有していた場合、当該コネクタが汎用コネクタ１０２に接続されて、仮にカメラボディ１００側で通信を開始してしまうとカメラボディ１００側の故障などを誘発する恐れがある。このような場合以外でも、予期せぬ機器が汎用コネクタ１０２に接続された場合に、そのままカメラボディ１００側で通信を開始してしまうとカメラボディ１００側に重大な影響を及ぼす恐れがある。
【００３１】
これに対して、第１の実施の形態のカメラシステムでは、アクセサリ装置２００がカメラボディ１００に取り付けられて、検出スイッチ１０４がオンされると、制御回路１１０が通信規格通知信号を出力する。そして、アクセサリ装置２００から通信可能信号を受信すると、カメラボディ１００側の通信規格によって汎用コネクタ１０２，２０２を介したアクセサリ装置２００との通信を開始するように構成した。したがって、汎用コネクタ１０２に予期せぬ機器が接続されても、予期せぬ機器にはピン２０３が設けられていないため、検出スイッチ１０４がオンされず、汎用コネクタ１０２を介した通信が開始されない。そのため、汎用コネクタ１０２に予期せぬ機器が接続される心配をしなくてもよい。これにより、アクセサリ装置２００などの相手側機器との通信に高価な専用コネクタを用いなくてもよく、安価な汎用コネクタ１０２，２０２を用いることができるので、大幅にコストを低減できる。
【００３２】
（２）  従来、コネクタの形状は通信規格と関連づけられていたため、カメラボディ１００側およびアクセサリ装置２００側のいずれか一方の通信規格が異なると、コネクタ同士を接続できず、互いに通信できなかった。これに対して、本実施の形態のカメラシステムでは、汎用コネクタ１０２，２０２同士を接続した後、上述したように、通信を行う際の通信規格を設定してからカメラボディ１００とアクセサリ装置２００との間で通信を行うようにしている。したがって、新たに開発するカメラボディ１００およびアクセサリ装置２００に、古い通信規格による通信が可能となるように、いわゆる上位互換性を持たせておけば、新しいカメラボディ１００またはアクセサリ装置２００を購入しても、相手側機器とのコネクタ形状の齟齬が生じず、古い相手側機器と接続して通信できる。これにより、ユーザが上位互換性を有する新しいカメラボディ１００またはアクセサリ装置２００を購入すれば、その機器は、通信規格が異なる古い相手側機器にも用いることができるので、ユーザの金銭的負担を低減できる。また、メーカ側も、新しい通信規格で通信可能なカメラボディ１００やアクセサリ装置２００を開発する際、古い相手側機器の異なるコネクタ形状に合わせて個別に製品を用意する必要がなくなるので、メーカ側の開発・製造コストを低減できる。
【００３３】
（３）  データを送受信するための通信規格は、通信速度の向上に伴い、新しい規格が規定される頻度が比較的高い。ワイヤレストランスミッタのようにカメラボディ１００と接続されて外部機器との間でデータの送受信を行う装置では、ワイヤレストランスミッタと外部機器との間の通信速度向上に合わせて、ワイヤレストランスミッタとカメラボディ１００との間の通信速度も向上させなければならない。したがって、ワイヤレストランスミッタでは、外部機器との通信における通信規格の変更とともに、カメラボディ１００側との通信における通信規格も変更しなければならない。本実施の形態のカメラシステムでは、このように通信規格の更新頻度が高いワイヤレストランスミッタであるアクセサリ装置２００に本発明を適用したので、上述した作用効果がより一層強調されることとなる。
【００３４】
（４）  アクセサリ装置２００がカメラボディ１００の底面に取り付けられる際に、ピン２０３が位置決め穴１０３に挿入されることで、アクセサリ装置２００が位置決めされるように構成した。また、アクセサリ装置２００がカメラボディ１００の底面に取り付けられると、ピン２０３の先端が検出スイッチ１０４の接点を押圧するように構成した。従来のアクセサリ装置でもカメラボディに対する位置決めのために位置決めピンが設けられているが、本実施の形態では、その位置決めピンを利用して検出スイッチ１０４の接点を押圧するように構成しているので、新たな構成要素（部材）の追加を抑制できるので、設計・製造コストの増加を抑制できる。
【００３５】
（５）  アクセサリ装置２００がカメラボディ１００に取り付けられる際、汎用コネクタ１０２，２０２間で通信が可能となる位置まで差し込まれた後に、ピン２０３が検出スイッチ１０４の接点を押圧して検出スイッチ１０４をオンするように、各部を構成した。これにより、汎用コネクタ１０２，２０２間で信号（特に、接続直後の通信規格通知信号）を確実に伝達できるので、通信の確実性・信頼性が向上する。
【００３６】
−−−第２の実施の形態−−−
図５〜８を参照して、本発明によるカメラシステムの第２の実施の形態を説明する。以下の説明では、第１の実施の形態と同じ構成要素には同じ符号を付して相違点を主に説明する。特に説明しない点については、第１の実施の形態と同じである。本実施の形態では、カメラボディ１００に検出スイッチ１０４が設けられていない点、カメラボディ１００およびアクセサリ装置２００に後述するコネクタ１０７，２０７が設けられている点で、第１の実施の形態と異なる。
【００３７】
図５は、第２の実施の形態のカメラボディ１００の全体構成を示す図であり、図６は、第２の実施の形態のアクセサリ装置２００の全体構成を示す図である。図７は、カメラボディ１００に対してアクセサリ装置２００を取り付けた状態を示す図である。図５に示すように、カメラボディ１００の底面には、汎用コネクタ１０２と、位置決め穴１０３と、三脚座１０５と、コネクタ１０７とが設けられている。コネクタ１０７は、カメラボディ１００にアクセサリ装置２００を取り付けた際に、アクセサリ装置２００のコネクタ２０７と接続されるコネクタである。コネクタ１０７は制御回路１１０と接続されており、通信規格通知信号など、通信規格決定に関する信号をアクセサリ装置２００との間で送受信するために用いられる。
【００３８】
図６に示すように、アクセサリ装置２００の上面には、汎用コネクタ２０２と、ピン２０３と、三脚ネジ２０５と、コネクタ２０７とが設けられている。コネクタ２０７は、上述したようにカメラボディ１００のコネクタ１０７と接続されるコネクタである。コネクタ２０７は制御回路２１０と接続されており、通信規格通知信号など、通信規格決定に関する信号をカメラボディ１００との間で送受信するために用いられる。なお、コネクタ１０７，２０７は、通信規格通知信号の送受信、および、コネクタ１０７，２０７の接続状態の検出にのみ用いられるため、端子数が少なく、単純な構造で済むが、予期せぬ機器が接続されるのを防ぐため、形状に配慮を要する。
【００３９】
このように構成されるカメラシステムでは、図７に示すようにカメラボディ１００にアクセサリ装置２００を取り付けると、次のような段階を経てカメラボディ１００とアクセサリ装置２００との間で画像データなどの通信が可能となる。アクセサリ装置２００が取り付けられる前のカメラボディ１００では、制御回路１１０は、コネクタ１０７の接続状態を監視し、コネクタ１０７にアクセサリ装置２００のコネクタ２０７が接続されていない場合には、汎用コネクタ１０２による通信を禁止する。カメラボディ１００に取り付けられる前のアクセサリ装置２００では、制御回路２１０は、不図示の電源スイッチがオンされると、カメラボディ１００から送信される通信規格通知信号をコネクタ２０７を介して受信するまで待機する。
【００４０】
アクセサリ装置２００がカメラボディ１００に取り付けられると、汎用コネクタ１０２が汎用コネクタ２０２と接続され、ピン２０３が位置決め穴１０３に挿入され、コネクタ１０７がコネクタ２０７と接続される。ダイヤル２０６が回動されて三脚ネジ２０５が回動されると、三脚ネジ２０５はカメラボディ１００の雌ねじ部１０５ａと螺合して、アクセサリ装置２００をカメラボディ１００に対して固定する。
【００４１】
制御回路１１０は、コネクタ１０７にコネクタ２０７が接続されたと判断すると、通信規格通知信号を、コネクタ１０７を介してアクセサリ装置２００へ出力する。
【００４２】
アクセサリ装置２００では、コネクタ２０７を介して通信規格通知信号を受信すると、制御回路２１０は、通知された通信規格が対応可能な通信規格であるか否かを判断する。対応可能な通信規格であると判断されると、制御回路２１０は、通知された通信規格で汎用コネクタ２０２を介した通信が可能となるように、自らの通信規格を変更（設定）するとともに、通信可能信号をコネクタ２０７を介してカメラボディ１００側へ出力する。これにより、アクセサリ装置２００は、汎用コネクタ２０２を介してカメラボディ１００との間で通信可能となる。なお、対応可能な通信規格ではないと判断されると、制御回路２１０は、コネクタ２０７を介して通信不可信号をカメラボディ１００側へ出力する。
【００４３】
カメラボディ１００では、コネクタ１０７を介して通信可能信号を受信すると、制御回路１１０は、汎用コネクタ１０２を介した通信を許可する。そして、制御回路１１０は、通信規格通知信号で通知した通信規格により、汎用コネクタ１０２を介したアクセサリ装置２００との通信を開始する。また、コネクタ１０７を介して通信不可信号を受信すると、制御回路１１０は、汎用コネクタ１０２による通信を禁止したままとする。
【００４４】
以上の動作により、第２の実施の形態のカメラシステムでは、カメラボディ１００にアクセサリ装置２００が取り付けられると、第１の実施の形態と同様に、カメラボディ１００とアクセサリ装置２００との間で、汎用コネクタ１０２，２０２を介して通信可能となる。
【００４５】
−−−フローチャート−−−
図８は、アクセサリ装置２００をカメラボディ１００に取り付ける際に、各制御回路１１０，２１０で実行されるプログラムの動作を示すフローチャートを併記した図である。カメラボディ１００の電源スイッチ１１１がオンされると、以下に説明する処理を行うプログラムが起動されて、カメラボディ１００の制御回路１１０で実行される。ステップＳ１０１において、コネクタ１０７にコネクタ２０７が接続されたと判断されるまで待機する。
【００４６】
ステップＳ１０１が肯定判断されるとステップＳ１０５へ進み、コネクタ１０７を介して通信規格通知信号を出力してステップＳ１０７へ進む。ステップＳ１０７において、コネクタ１０７を介してアクセサリ装置２００側から通信可能信号を受信したか否かを判断する。ステップＳ１０７が肯定判断されるとステップＳ１０８へ進み、汎用コネクタ１０２を介した通信を許可してステップＳ１０９へ進む。ステップＳ１０９において、通信規格通知信号で通知した通信規格により、汎用コネクタ１０２を介したアクセサリ装置２００との通信を開始してリターンする。
【００４７】
ステップＳ１０７が否定判断されるとステップＳ１１１へ進み、コネクタ１０７を介してアクセサリ装置２００側から通信不可信号を受信したか否かを判断する。ステップＳ１１１が肯定判断されるとリターンする。ステップＳ１１１が否定判断されるとステップＳ１０７へ戻る。
【００４８】
アクセサリ装置２００では、不図示の電源スイッチがオンされると、以下に説明する処理を行うプログラムが起動されて、制御回路２１０で実行される。ステップＳ１２１において、コネクタ２０７を介してカメラボディ１００側から通信規格通知信号を受信するまで待機する。ステップＳ１２１が肯定判断されるとステップＳ１２３へ進み、ステップＳ１２１で受信した通信規格通知信号によって通知された通信規格が対応可能な通信規格であるか否かを判断する。
【００４９】
ステップＳ１２３が肯定判断されるとステップＳ１２５へ進み、ステップＳ１２１で受信した通信規格通知信号によって通知された通信規格による、汎用コネクタ２０２を介した通信が可能となるように、自らの通信規格を変更してステップＳ１２７へ進む。ステップＳ１２７において、コネクタ２０７を介して通信可能信号を出力してリターンする。ステップＳ１２３が否定判断されるとステップＳ１２９へ進み、コネクタ２０７を介して通信不可信号を出力してリターンする。
【００５０】
上述した第２の実施の形態のカメラシステムでは、第１の実施の形態の作用効果に加えて、次の作用効果を奏する。
（１）  カメラボディ１００のコネクタ１０７にアクセサリ装置２００のコネクタ２０７が接続されたことを検出すると、コネクタ１０７，２０７を介して通信規格通知信号をアクセサリ装置２００に出力し、コネクタ１０７，２０７を介してアクセサリ装置２００から通信可能信号を受信すると、汎用コネクタ１０２，２０２を介してアクセサリ装置２００との通信を開始するように構成した。これにより、カメラボディ１００に取り付けられる外部機器が予期せぬ機器であって、仮にピン２０３を有していた場合であっても、汎用コネクタ１０２による通信が許可されないので、汎用コネクタ１０２に予期せぬ機器が接続される心配をしなくてもよい。したがって、アクセサリ装置２００などの相手側機器との通信に高価な専用コネクタを用いなくてもよく、汎用コネクタ１０２，２０２を用いることができるので、大幅にコストを低減できる。
【００５１】
なお、本実施の形態のカメラシステムでは、コネクタ１０７，２０７に予期せぬ機器が接続されるのを防止するため、コネクタ１０７，２０７に汎用のコネクタを用いることが難しく、専用のコネクタを用意する必要性が高い。しかし、汎用コネクタ１０２，２０２側の通信規格が将来的に変更されても、コネクタ１０７，２０７については同一形状のものを継続して利用できる。すなわち、コネクタ１０７，２０７の形状は一旦決定したら以降変更する必要がないので、そのコスト増は僅かで済む。
【００５２】
−−−変形例−−−
（１）  上述の説明では、アクセサリ装置２００はカメラボディ１００とは別に電池を装着しているが、アクセサリ装置２００側で電池を装着せずにカメラボディ１００側から電力供給を受けるようにしてもよい。
【００５３】
（２）  上述の説明では、アクセサリ装置２００はワイヤレストランスミッタであるが、本発明はこれに限定されず、他の機能を有する装置であってもよい。たとえば、カメラボディ１００に電力を供給する電源装置（いわゆるバッテリパック）であってもよい。この場合には、上述した汎用コネクタ１０２，２０２を介した通信によって、カメラボディ１００側の使用電圧の情報を得て、アクセサリ装置側で供給電圧をカメラボディ１００側に合わせて変更した上で、汎用コネクタ１０２，２０２を介して電力を供給するようにしてもよい。
【００５４】
（３）  上述した第１の実施の形態では、アクセサリ装置２００の位置決めと、検出スイッチ１０４の接点押圧とをピン２０３で行うように構成しているが、本発明はこれに限定されない。たとえば、アクセサリ装置２００の位置決めのためのピンと、検出スイッチ１０４の接点押圧のためのピンとをそれぞれ別に設けてもよい。また、三脚ネジ２０５の先端に、検出スイッチ１０４の接点押圧のためのピンを設けてもよい。
【００５５】
（４）  上述した第２の実施の形態では、カメラボディ１００に検出スイッチ１０４が設けられていないが、検出スイッチ１０４を設けるように構成してもよい。この場合には、たとえば、検出スイッチ１０４がオフされている間は、コネクタ１０７による通信を禁止し、ピン２０３によって検出スイッチ１０４がオンされた後に、コネクタ１０７を介して通信規格通知信号をアクセサリ装置２００側に出力するようにしてもよい。このように構成することで、コネクタ１０７，２０７にも汎用のコネクタを用いることができるようになり、コスト低減が図れる。
【００５６】
（５）  上述の説明では、新たに開発するカメラボディ１００およびアクセサリ装置２００の双方に、上位互換性を持たせるように説明したが、カメラボディ１００側およびアクセサリ装置２００側のうちのいずれか一方にのみ上位互換性を持たせてもよい。
（６）  上述した各実施の形態および変形例は、それぞれ組み合わせてもよい。
【００５７】
なお、本発明は、上述した実施の形態のものに何ら限定されず、通信規格とは関係なく汎用のコネクタを用いて接続された機器間で通信を行う各種構造のカメラ、アクセサリ装置およびカメラシステムを含むものである。
【図面の簡単な説明】
【００５８】
【図１】第１の実施の形態の一眼レフタイプのカメラボディ１００の全体構成を示す図である。
【図２】第１の実施の形態のアクセサリ装置２００の全体構成を示す図である。
【図３】カメラボディ１００に対してアクセサリ装置２００を取り付けた状態を示す図である。
【図４】アクセサリ装置２００をカメラボディ１００に取り付ける際に、各制御回路１１０，２１０で実行されるプログラムの動作を示すフローチャートを併記した図である。
【図５】第２の実施の形態の一眼レフタイプのカメラボディ１００の全体構成を示す図である。
【図６】第２の実施の形態のアクセサリ装置２００の全体構成を示す図である。
【図７】カメラボディ１００に対してアクセサリ装置２００を取り付けた状態を示す図である。
【図８】アクセサリ装置２００をカメラボディ１００に取り付ける際に、各制御回路１１０，２１０で実行されるプログラムの動作を示すフローチャートを併記した図である。
【符号の説明】
【００５９】
１００  カメラボディ                    １０２，２０２  汎用コネクタ
１０３  位置決め穴                      １０４  検出スイッチ
１０７，２０７  コネクタ                １１０，２１０  制御回路
２００  アクセサリ装置                  ２０３  ピン
【図１】
2008256847.tif 000003
【図２】
2008256847.tif 000004
【図３】
2008256847.tif 000005
【図４】
2008256847.tif 000006
【図５】
2008256847.tif 000007
【図６】
2008256847.tif 000008
【図７】
2008256847.tif 000009
【図８】
2008256847.tif 000010